(57)【要約】【課題】小型化を図ることを可能とするスピーカを提供する。【解決手段】スピーカ１はキャビネット３０とスピーカユニットと供給ユニット３２と固定部３３を備えている。キャビネット３０はスピーカユニットを収容する。供給ユニット３２はスピーカユニットに音声電流を供給する。供給ユニット３２は印刷配線板２１と該印刷配線板２１から立設した外部機器と接続用のコネクタ２２を備えている。固定部３３はキャビネット３０に設けられた開口部２４と該開口部２４の縁から立設した複数の立設壁２５を備えている。立設壁２５の表面２５ａは平坦に形成されてスピーカユニットの軸芯に直交する方向に対して交差する方向に沿って平坦に形成されている。固定部３３は表面２５ａ上に印刷配線板２１を重ねて供給ユニット３２を固定する。【選択図】図３
2007251284.tif 000002
【特許請求の範囲】
【請求項１】
キャビネットと、
このキャビネット内に収容されるとともに音声電流が供給されて音を発生するスピーカユニットと、
外部機器と接続して該外部機器からの前記音声電流を前記スピーカユニットに供給するための供給ユニットと、
前記キャビネットに設けられかつ前記供給ユニットを固定する固定部と、を備えたスピーカにおいて、
前記供給ユニットが、平板状の基板部と、該平板部から立設して前記外部機器と接続用のコネクタと、を備え、
前記固定部が、前記スピーカユニットの軸芯に直交する方向に対して交差する状態に前記基板部を位置付ける基板位置付け部を備えたことを特徴とするスピーカ。
【請求項２】
前記固定部が、前記キャビネットに開口した開口部と、該開口部の縁から前記キャビネットの内側に向かって立設した立設壁と、を更に備え、
前記基板位置付け部が前記立設壁の前記キャビネットの内側に位置する表面であり、当該表面が、前記スピーカユニットの軸芯に直交する方向に対して交差する方向に沿って平坦に形成されて、前記基板部が重ねられることを特徴とする請求項１記載のスピーカ。
【請求項３】
前記固定部が、前記キャビネットと一体に形成されていることを特徴とする請求項１又は請求項２記載のスピーカ。
【発明の詳細な説明】
【技術分野】
【０００１】
本発明は、例えば、音声電流が供給されることで振動板を振動させて音を発生するスピーカに関する。
【背景技術】
【０００２】
例えば、移動体としての自動車には、従来から種々のスピーカ（例えば、特許文献１及び２参照）が搭載されている。従来から用いられてきたスピーカは、キャビネットと、キャビネット内に収容されたスピーカユニットと、音声電流供給ユニットと、固定部とを備えている。
【０００３】
キャビネットは、扁平な箱状に形成されている。スピーカユニットは、音声電流が供給されるボイスコイルと、このボイスコイルに取り付けられた振動板などを備えている。スピーカユニットは、ボイスコイルに音声電流が供給されることで、振動板を振動させて音を発生する。
【０００４】
音声電流供給ユニットは、平板状の基板部と、該基板部から立設したコネクタと、接続用の電線などを備えている。コネクタは、導電性の端子と、該端子を収容したハウジングとを備えている。コネクタは、アンプなどの外部機器と接続する。接続用の電線は、コネクタの端子とスピーカユニットとを接続している。音声電流供給ユニットは、コネクタがアンプなどの外部機器と接続することで、該外部機器からの音声電流をスピーカユニットに供給する。
【０００５】
固定部は、キャビネットと別体に設けられている。固定部は、キャビネットに取り付けられている。固定部は、スピーカユニットの軸芯に対して直交する方向と平行な状態で前記基板部を固定する。固定部は、基板部を固定することで、前述した音声電流供給ユニットをキャビネットに固定する。
【０００６】
前述した構成のスピーカは、スピーカユニットに音声電流が供給されることで、該スピーカユニットが前述した音声電流に応じた音を発生する。
【特許文献１】特開２００３−７００８９号公報
【特許文献２】実開平６−３１２９０号公報
【発明の開示】
【発明が解決しようとする課題】
【０００７】
前述した従来のスピーカは、固定部が、スピーカユニットの軸芯に直交する方向と基板が平行な状態で、音声電流供給ユニットを固定する。このように、従来のスピーカは、基板部とスピーカユニットの軸芯に直交する方向とが互いに平行であるので、特に、従来のスピーカは、該軸芯に対し直交する方向の寸法が大きくなり、大型化する傾向であった。このため、従来のスピーカは、前述した自動車などの移動体に設置する際により広いスペースが必要となっていた。
【０００８】
また、前述した従来のスピーカは、固定部がキャビネットと別体であるので、部品点数が増加して、コストが高騰する傾向であった。さらに、前述した従来のスピーカは、固定部とキャビネットとが別体であるので、キャビネット内の気密性を確保することが困難となり、気密性を確保できない場合には、前述したスピーカユニットが発する音の音響特性が低下する傾向であった。
【０００９】
したがって、本発明の目的は、例えば、小型化を図ることを可能とするスピーカを提供することにある。
【課題を解決するための手段】
【００１０】
前記課題を解決し目的を達成するために、請求項１に記載の本発明のスピーカは、キャビネットと、このキャビネット内に収容されるとともに音声電流が供給されて音を発生するスピーカユニットと、外部機器と接続して該外部機器からの前記音声電流を前記スピーカユニットに供給するための供給ユニットと、前記キャビネットに設けられかつ前記供給ユニットを固定する固定部と、を備えたスピーカにおいて、前記供給ユニットが、平板状の基板部と、該平板部から立設して前記外部機器と接続用のコネクタと、を備え、前記固定部が、前記スピーカユニットの軸芯に直交する方向に対して交差する状態に前記基板部を位置付ける基板位置付け部を備えたことを特徴としている。
【発明を実施するための最良の形態】
【００１１】
以下、本発明の一実施形態を説明する。本発明の一実施形態にかかるスピーカは、固定部が、スピーカユニットの軸芯に直交する方向に対して交差する状態に基板部を位置付けて、供給ユニットを固定することで、特に前述した軸芯に直交する方向の寸法を抑制できるようにしている。こうすることで、スピーカは、小型化を図ることを可能としている。
【００１２】
また、固定部が、開口部と該開口部の縁から立設した立設壁と備えて、基板位置付け部としての立設壁の表面が、前述した軸芯に直交する方向に対して交差する方向に沿って平坦であっても良い。この場合、基板位置付け部としての表面上に基板部を位置付けることで、固定部が、スピーカユニットの軸芯に直交する方向に対して交差する状態に基板部を確実に位置付けることが可能となる。
【００１３】
さらに、固定部がキャビネットと一体に形成されても良い。この場合、部品点数を削減できかつコストの低減を図ることができるとともに、キャビネットの気密性を確実に確保でき、音響特性の低下を防止できる。
【実施例】
【００１４】
本発明の一実施例を、図１ないし図３に基づいて説明する。図１に示す本発明の一実施例に係るスピーカ１は、移動体としての自動車などに搭載されて、該自動車の乗員に音声情報を提供する。
【００１５】
スピーカ１は、図１及び図２に示すように、キャビネット３０と、スピーカユニット３１と、供給ユニット（図２に示す）３２と、固定部（図２に示す）３３とを備えている。
【００１６】
キャビネット３０は、図１及び図２に示す扁平な箱状のキャビネット本体３４と、図２に示す固定フレーム４とを備えている。キャビネット本体３４は、図１に示すように、その平面形状が、角が円弧状の矩形状に形成されている。キャビネット本体３４は、互いに取り付けられるロアキャビネット３５と、アッパキャビネット３６とを備えている。
【００１７】
ロアキャビネット３５は、略平坦な底板３７と、該底板３７の外縁から立設した複数の周板３８とを備えている。アッパキャビネット３６は、枠状の天井枠３９と、該天井枠３９の外縁から立設した複数の周板４０とを備えている。ロアキャビネット３５とアッパキャビネット３６とには、図２及び図３に示すように、互いに重なるボス部４１，４２が立設している。キャビネット３０は、ボス部４１，４２のうちの一方を通ったボルト４３が他方に螺合することで、周板３８，４０の縁同士が互いに重ねられた状態で、ロアキャビネット３５とアッパキャビネット３６とが互いに固定されて、組み立てられる。ロアキャビネット３５と、アッパキャビネット３６は、図示例では、アルミダイカストで構成されている。
【００１８】
固定フレーム４は、厚手の板金で構成されている。固定フレーム４は、外観が裁頭錐（錐台）状の本体部５と、該本体部５の外縁から該本体部５の外方向に延びたフランジ部６と、端子部４４とを備えている。本体部５は、環状に形成されている。本体部５及びフランジ部６の外縁の平面形状は、小判形に形成されている。
【００１９】
端子部４４は、平板状に形成され、かつ本体部５から該本体部５の外周方向に延在（突出）している。端子部４４は、供給ユニット３２などを介して、アンプなどの外部機器と接続される。端子部４４には、アンプなどの外部機器から音声電流が供給される。固定フレーム４は、本体部５がキャビネット本体３４内に収容されて、フランジ部６の外縁がキャビネット本体３４のアッパキャビネット３６の天井枠３９の内縁部に固定されている。
【００２０】
スピーカユニット３１は、前述したキャビネット３０内に収容されており、図２に示すように、磁気回路部２と、該磁気回路部２によって振動されて音を生じる振動部３とを備えている。
【００２１】
磁気回路部２は、図２に示すように、磁性体（所謂、常磁性体又は強磁性体）で構成されたヨーク７と、磁石８と、磁性体（所謂、常磁性体又は強磁性体）で構成されたヨークプレート９とを備えている。ヨーク７は、円環状のボトムプレート１０と、該ボトムプレート１０の中央の内縁部から立設した円筒状の筒部１１とを一体に備えている。ヨーク７は、ボトムプレート１０が底板３７に重ねられて、ロアキャビネット３５即ちキャビネット３０に取り付けられている。
【００２２】
磁石８は、円環状に形成されている。磁石８の内径は、筒部１１の外径よりも大きい。磁石８は、内側に筒部１１を通して、ボトムプレート１０に重ねられている。前述した磁石８は、永久磁石又は直流電源により励磁されるものでも良い。
【００２３】
ヨークプレート９は、円環状に形成されている。ヨークプレート９の内径は、筒部１１の外径よりも大きい。ヨークプレート９は、内側にヨーク７の筒部１１と後述するボイスコイルボビン１３とを通した状態で、磁石８上に重ねられている。前述したヨーク７と、磁石８と、ヨークプレート９は、互いに同軸に配置されている。このため、磁石８とヨークプレート９の内周面は、ヨーク７の筒部１１の外周面と間隔をあけている。
【００２４】
前述した構成により、磁気回路部２は、所謂外磁型に構成されている。磁気回路部２は、ヨーク７の筒部１１の外周面と、ヨークプレート９の内周面との間に、後述のボイスコイル１２と協働して駆動コーン１４及び振動板１５を駆動（振動）するための磁力を発生する磁気ギャップＧを形成している。即ち、磁気回路部２は、ボイスコイル１２と協働して、駆動コーン１４及び振動板１５を振動させる。
【００２５】
また、磁気回路部２のヨークプレート９には、固定フレーム４の内縁部が重ねられている。ヨークプレート９は、固定フレーム４と固定されている。
【００２６】
振動部３は、ボイスコイル１２と、ボイスコイルボビン１３と、駆動コーン１４と、振動板１５と、ダンパ１７と、エッジ１８などを備えている。ボイスコイル１２は、磁気回路部２の前述した磁気ギャップＧ内に配されている。ボイスコイル１２には、錦糸線（図２に示す）４５が接続している。該錦糸線４５は、一端が前記ボイスコイル１２に接続し、他端が端子部４４に接続している。ボイルコイル１２には、錦糸線４５などを介して、音声電流が供給される。
【００２７】
ボイスコイルボビン１３は、円筒状に形成されている。ボイスコイルボビン１３の内径は、ヨーク７の筒部１１の外径よりも大きく形成されている。ボイスコイルボビン１３の外径は、ヨークプレート９の内径よりも小さく形成されている。ボイスコイルボビン１３は、ヨーク７とヨークプレート９とボイスコイル１２などと同軸に配されている。ボイスコイルボビン１３は、軸芯方向の一端部が磁気ギャップＧ内に挿入されており、該一端部の外周にボイスコイル１２を取り付けている。ボイスコイルボビン１３は、駆動コーン１４とエッジ１８などによって、ヨーク７の軸芯Ｐ（図２中に一点鎖線で示す）に沿って移動自在に支持されている。なお、ヨーク７の軸芯Ｐは、スピーカユニット３１の軸芯となっている。
【００２８】
駆動コーン１４は、合成樹脂で構成されている。駆動コーン１４は、本体部１９と、フランジ部２０とを一体に備えている。本体部１９は、外観が裁頭錐（錐台）状の環状に形成されている。本体部１９は、その内縁がダンパ１７の内縁部に取り付けられている。本体部１９即ち駆動コーン１４は、ダンパ１７及びボイスコイルボビン１３を介して、ボイスコイル１２に取り付けられている。
【００２９】
フランジ部２０は、本体部１９の外縁から該本体部１９の外周方向に延びた平板状に形成されている。フランジ部２０の外縁の平面形状は、固定フレーム４と略同形状の小判形に形成されている。
【００３０】
振動板１５は、金属で構成されているとともに、図示例では、平板状に形成されている。振動板１５の平面形状は、駆動コーン１４などの平面形状と同様に小判形に形成されている。振動板１５は、駆動コーン１４よりも若干小さく形成されている。振動板１５は、その外縁部が駆動コーン１４の外縁部に重ねられて、接着剤などによって、該駆動コーン１４に固定されている。
【００３１】
ダンパ１７は、円環状に形成され、かつ薄板状に形成されている。ダンパ１７は、内縁部がボイスコイルボビン１３に取り付けられ、かつ外縁部が固定フレーム４の内周面に取り付けられている。ダンパ１７には、駆動コーン１４の内縁部が取り付けられている。ダンパ１７は、ボイスコイルボビン１３即ち駆動コーン１４及び振動板１５が前述した軸芯Ｐに沿って振動することを許容するとともに、該ボイスコイルボビン１３即ち駆動コーン１４及び振動板１５の振動を徐々に減衰させる。
【００３２】
エッジ１８は、円環状に形成され、かつ薄板状に形成されている。エッジ１８は、内縁部が駆動コーン１４の外縁部に取り付けられ、かつ外縁部が固定フレーム４の外縁部とアッパキャビネット３６の天井枠３９の内縁部との間に挟まれて、これらに取り付けられている。エッジ１８は、接着剤によって固定フレーム４に固定されている。エッジ１８は、ボイスコイルボビン１３即ち駆動コーン１４及び振動板１５が前述した軸芯Ｐに沿って振動することを許容するとともに、該ボイスコイルボビン１３即ち駆動コーン１４及び振動板１５の振動を徐々に減衰させる。
【００３３】
供給ユニット３２は、図３に示すように、基板部としての印刷配線板２１と、該印刷配線板２１から立設した外部機器と接続用のコネクタ（以下、単にコネクタと記載する）２２と、図示しない内部機器接続用のコネクタとを備えている。
【００３４】
印刷配線板２１は、平板状に形成されており、外表面に導体パターンが形成されている。コネクタ２２は、導電性の板金などで構成された端子と、該端子を収容したコネクタハウジング２３とを備えている。端子は、印刷配線板２１の導体パターンと接続している。コネクタハウジング２３は、絶縁性の合成樹脂で構成され、かつ筒状に形成されて、前述した端子を収容している。コネクタ２２は、前述したアンプなどの外部機器と接続する。
【００３５】
内部機器接続用のコネクタは、前述したコネクタ２２と同様に、印刷配線板２１の導体パターンと接続した導電性の端子と、該端子を収容したコネクタハウジングとを備えている。さらに、端子には、前述した端子部４４と接続した電線が取り付けられている。
【００３６】
前述した構成の供給ユニット３２は、コネクタ２２にアンプなどの外部機器が接続して、該外部機器からの音声電流をコネクタ２２の端子、導体パターン、内部機器接続用のコネクタの端子、端子部４４及び錦糸線４５を順に介して、ボイスコイル１２に供給する。
【００３７】
固定部３３は、図３に示すように、開口部２４と、複数の立設壁２５とを備えている。開口部２４は、キャビネット３０のロアキャビネット３５の底板３７を貫通している。開口部２４は、ロアキャビネット３５の底板３７の周板３８寄りの箇所に設けられている。
【００３８】
立設壁２５は、複数設けられ、それぞれが開口部２４の縁からキャビネット３０の内側に向かって立設しているとともに、互いに連なっている。複数の立設壁２５のキャビネット３０の内側寄り即ちロアキャビネット３５の底板３７から離れた側の表面２５ａは、面一に形成されて、平坦に形成されている。
【００３９】
表面２５ａは、特許請求の範囲に記載された基板位置付け部をなしており、スピーカユニット３１の軸芯Ｐに対して直交する方向に対して交差する方向に沿って平坦に形成されている。表面２５ａには、立設壁２５間にコネクタ２２を通した格好で印刷配線板２１が重ねられる。また、表面２５ａには、ボルト２７がねじ込まれるねじ孔２８が開口している。さらに、立設壁２５は、キャビネット３０のロアキャビネット３５と一体に形成されている。
【００４０】
前述した構成の固定部３３は、立設壁２５間にコネクタ２２を通し、かつ基板位置付け部としての表面２５ａに印刷配線板２１が重ねられて、前記ねじ孔２８内にボルト２７がねじ込まれて、供給ユニット３２を固定する。こうして、固定部３３は、印刷配線板２１の両表面が前述した軸芯Ｐに直交する方向に対して交差する状態即ち前述した軸芯Ｐに直交する方向に対して交差する状態に、印刷配線板２１を位置付ける。また、前述した固定部３３は、立設壁２５がロアキャビネット３５と一体に形成されて、ロアキャビネット３５即ちキャビネット３０と一体に形成されている。
【００４１】
前述した構成のスピーカ１は、ボイスコイル１２に音声電流が供給され、この音声電流に応じて磁気ギャップＧ内に保持されたボイスコイル１２が前述した軸芯Ｐに沿って振動する。そして、スピーカ１は、ボイスコイル１２を支持したボイスコイルボビン１３が、駆動コーン１４及び振動板１５などと共に軸芯Ｐに沿って振動して、該駆動コーン１４及び振動板１５などが音声電流に応じた音を生じる。このように、磁気回路部２は、駆動コーン１４及び振動板１５則ち振動部３を振動させて、音を生じさせる。
【００４２】
本実施例によれば、固定部３３が、スピーカユニット３１の軸芯Ｐに直交する方向に対して交差する状態に印刷配線板２１を位置付けて、供給ユニット３２を固定しているので、特にキャビネット３０即ちスピーカ１の前述した軸芯Ｐに直交する方向の寸法を抑制できる。したがって、スピーカ１は、小型化を図ることが可能となる。
【００４３】
また、固定部３３が、開口部２４と該開口部２４の縁から立設した立設壁２５とを備え、立設壁２５の表面２５ａが前述した軸芯Ｐに直交する方向に対して交差する方向に沿って平坦に形成されているので、基板位置付け部としての表面２５ａ上に印刷配線板２１を位置付けることで、固定部３３が、スピーカユニット３１の軸芯Ｐに直交する方向に対して交差する状態に印刷配線板２１を確実に位置付けることが可能となる。
【００４４】
さらに、固定部３３がキャビネット３０と一体に形成されているので、部品点数を削減できかつコストの低減を図ることができるとともに、キャビネット３０の気密性を確実に確保でき、音響特性の低下を防止できる。
【００４５】
また、ロアキャビネット３５がアルミダイカストで構成されているので、ねじ孔２８などを該ロアキャビネット３５の成型後に形成することができる。したがって、ロアキャビネット３５を成型する金型にアンダーカット部やスライド機構を設ける必要がない。したがって、ロアキャビネット３５を成型する際に用いられる金型のコストを抑制でき、スピーカ１のコストの高騰を抑制できる。
【００４６】
前述した実施例では、固定部３３をキャビネット３０のロアキャビネット３５と一体に形成している。しかしながら、本発明では、固定部３３をキャビネット３０のロアキャビネット３５と別体に形成しても良い。さらに、本発明では、固定部３３をキャビネット３０のアッパキャビネット３６に設けても良い。
【００４７】
前述した実施例によれば、以下のスピーカ１が得られる。
【００４８】
（付記）  キャビネット３０と、
このキャビネット３０内に収容されるとともに音声電流が供給されて音を発生するスピーカユニット３１と、
外部機器と接続して該外部機器からの前記音声電流を前記スピーカユニット３１に供給するための供給ユニット３２と、
前記キャビネット３０に設けられかつ前記供給ユニット３２を固定する固定部３３と、を備えたスピーカ１において、
前記供給ユニット３２が、平板状の基板部２１と、該平板部２１から立設して前記外部機器と接続用のコネクタ２２と、を備え、
前記固定部３３が、前記スピーカユニット３１の軸芯Ｐに直交する方向に対して交差する状態に前記基板部２１を位置付ける基板位置付け部２５ａを備えたことを特徴とするスピーカ１。
【００４９】
付記によれば、固定部３３が、スピーカユニット３１の軸芯Ｐに直交する方向に対して交差する状態に印刷配線板２１を位置付けて、供給ユニット３２を固定しているので、特にキャビネット３０即ちスピーカ１の前述した軸芯Ｐに直交する方向の寸法を抑制できる。したがって、スピーカ１は、小型化を図ることが可能となる。
【００５０】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５１】
【図１】本発明の一実施例にかかるスピーカの平面図である。
【図２】図１中のＩＩ−ＩＩ線に沿う断面図である。
【図３】図１中のＩＩＩ−ＩＩＩ線に沿う断面図である。
【符号の説明】
【００５２】
１  スピーカ
２１  印刷配線板（基板部）
２２  外部機器と接続用のコネクタ
２４  開口部
２５  立設壁
２５ａ  表面（基板位置付け部）
３０  キャビネット
３１  スピーカユニット
３２  供給ユニット
３３  固定部
Ｐ  軸芯
【図１】
2007251284.tif 000003
【図２】
2007251284.tif 000004
【図３】
2007251284.tif 000005